(57)【要約】      （修正有）【課題】建物の空調設備における２つの空調路部材どうしを接続する空調路接続構造であって、２つの空調路部材どうしを着脱可能にする。【解決手段】第１空調路部材３に第１接続管１０を設け、第２空調路部材４に第２接続管２０を設け、第２接続管２０を第１接続管１０の外周に嵌める。第１接続管１０の管壁に孔状又は凹み状の被係止部１１を形成する。被係止部１１は、管周方向へ延びる係止縁１３と管軸方向へ延びる一対の案内縁１２、１４を有する。第２接続管２０には、被係止孔１１に嵌る板バネ状の係止片３０を設ける。係止片３０が、係止縁１３と係止されて第２接続管２０の引き抜きを阻止する。かつ、係止片３０は、一対の案内縁１２、１４とそれぞれ対向する一対の係止突起３２、３４を有している。第２接続管２０を回転させると、回転方向前方の係止突起３２、３４が対向する案内縁１２、１４と当たって、係止片３０が管径方向の外側へ変位され、引き抜きが許容される。【選択図】図１
0003233664.tif 000002
【実用新案登録請求の範囲】
【請求項１】
第１空調路部材及び第２空調路部材どうしを接続する空調路接続構造であって、
前記第１空調路部材に設けられた第１接続管と、
前記第２空調路部材に設けられ、かつ前記第１接続管の外周に抜き挿し可能に嵌められる第２接続管と、を備え、
前記第１接続管の管壁には孔状又は凹み状の被係止部が形成され、前記被係止部が、管周方向へ延びる係止縁と、前記係止縁の両端部とそれぞれ交差して管軸方向へ延びる一対の案内縁とを有し、
前記第２接続管には、前記被係止部に嵌るとともに前記係止縁と係止されて前記第２接続管の引き抜きを阻止する板バネ状の係止片が設けられ、
前記係止片が前記一対の案内縁とそれぞれ対向する一対の係止突起を有し、
前記第２接続管が前記第１接続管に対して管周方向へ回転されるとき、回転方向前方の係止突起が対向する案内縁と当たって、前記係止片が、前記引き抜きを許容するように管径方向の外側へ変位されることを特徴とする空調路接続構造。
【請求項２】
前記係止片が、前記引き抜き側の端部が自由端である片持ち板バネ状であり、前記引き抜き側の端部の管周方向の両側部に前記一対の係止突起が設けられていることを特徴とする請求項１に記載の空調路構造。
【請求項３】
前記一対の係止突起の各々の前記引き抜き側の縁が、前記係止縁と係止されて前記引き抜きを阻止することを特徴とする請求項１又は２に記載の空調路構造。
【請求項４】
前記一対の係止突起が、管軸方向に沿う前記係止片の中心線に関して対称形状であることを特徴とする請求項１〜３の何れか１項に記載の空調路構造。
【請求項５】
前記一対の係止突起が、管径方向の内側へ向かうにしたがって互いに接近されていることを特徴とする請求項１〜４の何れか１項に記載の空調路構造。
【請求項６】
前記一対の係止突起が、管軸方向の挿し込み側へ向かうにしたがって互いに遠ざかっていることを特徴とする請求項１〜５の何れか１項に記載の空調路構造。
【請求項７】
前記係止片の前記引き抜き側の端部が、管径方向から見て先端へ向かって幅細の台形形状であることを特徴とする請求項１〜６の何れか１項に記載の空調路構造。
【考案の詳細な説明】
【技術分野】
【０００１】
本考案は、建物の空調設備における２つの空調路部材どうしを接続する空調路接続構造に関し、特に、２つの空調路部材どうしを着脱可能な空調路接続構造に関する。
【背景技術】
【０００２】
オフィスビル、工場、住居等の建物において、分岐チャンバーと複数のダクトを有する空調設備が知られている。エアコンからの給気が、分岐チャンバーを介して複数のダクトに分岐し、複数の吹き出し口から吹き出される。ダクトや分岐チャンバー等の空調路部材どうしの接続部には、空調路接続構造が設けられている（特許文献１等参照） 。
【０００３】
例えば、特許文献１に開示された空調路接続構造においては、フレキシブルダクトの先端部に金属製の第２接続管が設けられ、該第２接続管の管壁に板バネ状の係止部材が設けられている。係止部材は、長方形の板材であり、その端部が斜めに折り曲げられて、第２接続管の内周側を突出する三角形の爪状の係止突起が形成されている。分岐チャンバーから突出された第１接続管には、四角形の被係止孔が形成されている。第１接続管の外周に第２接続管が嵌め込まれて、係止突起が被係止孔に係止される。これによって、フレキシブルダクトが、分岐チャンバーに接続されるとともに、被係止孔の１の縁と係止突起との当たりによって抜け止めされる。
【０００４】
一方、接続された第２接続管を所定の一方向へ回すと、係止突起が被係止孔の前記１の縁と直交する縁に当たって引っ込み、被係止孔と係止突起との係合が外れる。これによって、第２接続管を第１接続管から引き抜くことができる。
【先行技術文献】
【特許文献】
【０００５】
【特許文献１】実用新案登録第３２２６１０４号公報
【考案の概要】
【考案が解決しようとする課題】
【０００６】
前掲特許文献１においては、第１、第２接続管どうしを分離する際の第２接続管の回転方向が右まわり又は左まわりの何れか一方に限られている。反対側へ回しても、係止突起と被係止孔との係合が外れることがなく、第２接続管を第１接続管から引き抜くことができない。
本考案は、前記の事情に基づいてなされたものであり、空調路接続構造における第１、第２接続管どうしを分離する際の第２接続管の回転方向の制限を無くして、分離操作の自由度を高めることを目的とする。
【課題を解決するための手段】
【０００７】
前記問題点を解決するために、本考案は、第１空調路部材及び第２空調路部材どうしを接続する空調路接続構造であって、
前記第１空調路部材に設けられた第１接続管と、
前記第２空調路部材に設けられ、かつ前記第１接続管の外周に抜き挿し可能に嵌められる第２接続管と、を備え、
前記第１接続管の管壁には孔状又は凹み状の被係止部が形成され、前記被係止部が、管周方向へ延びる係止縁と、前記係止縁の両端部とそれぞれ交差して管軸方向へ延びる一対の案内縁とを有し、
前記第２接続管には、前記被係止部に嵌るとともに前記係止縁と係止されて前記第２接続管の引き抜きを阻止する板バネ状の係止片が設けられ、
前記係止片が前記一対の案内縁とそれぞれ対向する一対の係止突起を有し、
前記第２接続管が前記第１接続管に対して管周方向へ回転されるとき、回転方向前方の係止突起が対向する案内縁と当たって、前記係止片が、前記引き抜きを許容するように管径方向の外側へ変位されることを特徴とする。
当該空調路接続構造によれば、接続状態から第２接続管を第１接続管に対して管周方向のどちら側に回しても、その回転方向前方の係止突起が対向する案内縁と当たって、係止片が、管径方向の外側へ変位されて被係止部から抜け出る。これによって、第２接続管の引き抜きが許容される。
【０００８】
前記係止片が、前記引き抜き側の端部が自由端である片持ち板バネ状であり、前記引き抜き側の端部の管周方向の両側部に前記一対の係止突起が設けられていることが好ましい。
【０００９】
前記一対の係止突起の各々の前記引き抜き側の縁が、前記係止縁と係止されて前記引き抜きを阻止することが好ましい。第２接続管を回さずに管軸方向に沿って真っ直ぐに引き抜こうとすると、係止片が少なくとも２点で係止縁と突き当たることで、引き抜きを確実阻止できる。
【００１０】
前記一対の係止突起が、管軸方向に沿う前記係止片の中心線に関して対称形状であることが好ましい。これによって、係止片を被係止部から外すときの所要力や外れるまでの所要回転量を、第２接続管をどちら側へ回しても同じ程度になる。
【００１１】
前記一対の係止突起が、管径方向の内側へ向かうにしたがって互いに接近されていることが好ましい。これによって、第２接続管をどちら側へ回しても、回転方向前方の係止突起と、それと対向する案内縁との相互作用によって、係止片が、管径方向の外側へ確実に変位される。
【００１２】
前記一対の係止突起が、管軸方向の挿し込み側へ向かうにしたがって互いに遠ざかっていることが好ましい。これによって、第２接続管をどちら側へ回しても、回転方向前方の係止突起と、それと対向する案内縁との相互作用によって、係止片が、管径方向の外側へ確実に変位される。
【００１３】
前記係止片の前記引き抜き側の端部が、管径方向から見て先端へ向かって幅細の台形形状であることが好ましい。これによって、一対の係止片が、引き抜き側へ向かって互いに接近される。
【考案の効果】
【００１４】
本考案によれば、空調路接続構造における第１、第２接続管どうしを分離する際、第２接続管を第１接続管に対して管周方向のどちら側に回しても係止解除でき、第２接続管の回転方向の制限を無くして分離操作の自由度を高めることができる。
【図面の簡単な説明】
【００１５】
【図１】図１は、本考案の一実施形態に係る空調路接続構造を接続状態で示す平面断面図である。
【図２】図２は、図１のＩＩ−ＩＩ線に沿う前記空調路接続構造の側面断面図である。
【図３】図３は、  前記空調路接続構造の第２接続管の一部を内周側から見た斜視図である。
【図４（ａ）】図４（ａ）は、前記空調路接続構造を接続途中の状態で示す正面断面図である。
【図４（ｂ）】図４（ｂ）は、図１のＩＶｂ−ＩＶｂ線に沿う前記空調路接続構造の正面断面図である。
【図５（ａ）】図５（ａ）は、前記空調路接続構造の分離操作の一態様を示す側面断面図である。
【図５（ｂ）】図５（ｂ）は、前記空調路接続構造の分離操作の他の態様を示す側面断面図である。
【考案を実施するための形態】
【００１６】
以下、本考案の一実施形態を図面にしたがって説明する。
図１は、オフィスビル、工場、住居等の建物に設けられた空調設備における、分岐チャンバー３（第１空調路部材）と、フレキシブルダクト４（第２空調路部材）からなる空調路接続構造１を示したものである。分岐チャンバー３の周壁には、第１接続管１０が突出されるように設けられている。図１及び図２に示すように、第１接続管１０の管壁には、３つ（複数）の被係止孔１１（被係止部）が管周方向に等間隔で形成されている。図１に示すように、各被係止孔１１は、平面視で長辺を管周方向（図１において上下）へ向けた長方形（四角形）の貫通孔になっている。被係止孔１１における管先端側（図１において右側）の縁は、管周方向（図１において上下）へ延びる係止縁１３を構成している。被係止孔１１における管周方向の両端の縁は、一対の案内縁１２，１４を構成している。案内縁１２，１４は、係止縁１３の両端部とそれぞれ交差して管軸方向（図１において左右）へ延びている。
【００１７】
図１に示すように、フレキシブルダクト４の端部４ｅの内周には、第２接続管２０が設けられている。第２接続管２０が第１接続管１０の外周に抜き挿し可能に嵌められることによって、分岐チャンバー３とフレキシブルダクト４とが分離可能に接続されている。接続管１０，２０の外周には、接続状態での気密性、断熱性を確保するための気密シール材１７や断熱カバー材１８，２８が設けられている。
【００１８】
図１及び図２に示すように、第２接続管２０には、３つ（複数）の係止片３０が管周方向に等間隔で形成されている。図１に示すように、第２接続管２０の管壁２１の３ヶ所には、概略「コ」字状の打ち抜き孔２２が形成されている。打ち抜き孔２２の内側部分が、係止片３０を構成している。係止片３０における挿し込み側（図１において左側）の端部３１は、管壁２１と一体に連なっている。係止片３０は、引き抜き側（図１において右側）の端部３３が自由端である片持ち板バネ状になっている。
【００１９】
図２及び図３に示すように、各係止片３０は、一対の係止突起３２，３４を有している。係止突起３２，３４は、係止片３０の引き抜き側（図３において上側）の端部３３の管周方向の両側部にそれぞれ設けられている。詳しくは、引き抜き側端部３３の両側のコーナー部が、それぞれ管径方向の内側（図３において紙面手前側）へ斜めに折り曲げられ、一対の折り曲げエッジ３３ｂ，３３ｄが形成されている。折り曲げエッジ３３ｂ，３３ｄは、係止片３０の先端へ向かって互いに接近している。係止片３０の引き抜き側端部３３は、管径方向から見て先端へ向かって幅細の台形形状になっている。係止片３０における各折り曲げエッジ３３ｂ，３３ｄよりコーナー側の部分が、係止突起３２，３４となっている。
【００２０】
図２及び図３に示すように、各係止突起３２，３４は、三角形状に形成され、第２接続管２０の内周面から管径方向の内側へ向かって突出されている。かつ一対の係止突起３２，３４は、管軸方向に沿う係止片３０の中心線Ｌ３０に関して対称形状であり、管径方向の内側へ向かうにしたがって互いに接近され、管軸方向の挿し込み側（図３において下側）へ向かうにしたがって互いに遠ざかっている。
係止突起３２，３４の先端縁３２ｅ，３４ｅ（引き抜き側の縁）の突出端（図３において紙面手前端）どうしは、少し離れているが、互いにくっ付いていてもよい。
【００２１】
図４（ａ）に示すように、フレキシブルダクト４を分岐チャンバー３と接続する際は、第２接続管２０が第１接続管１０と同一軸線上に配置され、かつ係止片３０の管周方向の位置が被係止孔１１と一致するよう、第２接続管２０を位置調節したうえで、第２接続管２０を管軸に沿って真っすぐに第１接続管１０側へ移動させることで、第１接続管１０の外周に嵌め込む。嵌め込む途中、係止片３０の各係止突起３２，３４が第１接続管１０の外周面に当たって、係止片３０が外周側へ反るように弾性変形される。図４（ｂ）に示すように、係止突起３２，３４が被係止孔１１と一致したとき、係止片３０が弾性復帰される。
【００２２】
図２に示すように、接続管１０，２０どうしの接続状態において、３つ（複数）の被係止孔１１の各々に、対応する係止片３０の係止突起３２，３４が嵌って係止されている。図３に示すように、係止突起３２の外面３２ａが案内縁１２と斜めに対向している。係止突起３４の外面３４ａが案内縁１４と斜めに対向している。係止突起３２，３４の先端縁３２ｅ，３４ｅ（引き抜き側の縁）は、係止縁１３と対向している。
【００２３】
第２接続管２０を第１接続管に対して回すことなく管軸方向の引き抜き側（図３において上側）へ真っ直ぐ引き抜こうとすると、係止突起３２，３４の先端縁３２ｅ，３４ｅが係止縁１３に突き当たって係止される。これによって、第２接続管２０の引き抜きが阻止される。要するに、一対の係止突起３２，３４の各々の先端縁３２ｅ，３４ｅが、係止縁１３と係止されて引き抜きを阻止する。係止片３０が２点で係止縁１３と突き当たることで、引き抜きを確実に阻止できる。
【００２４】
図５に示すように、フレキシブルダクト４を分岐チャンバー３から分離するときは、第２接続管２０を第１接続管１０に対して管周方向へ回転させる。第２接続管２０を挿し込み方向へ向かって左まわりに回転させてもよく、右まわりに回転させてもよい。
例えば、図５（ａ）に示すように、第２接続管２０を左まわりに回転させた場合、回転方向前方の係止突起３４の管径内側を向く側端縁３４ｆが、対向する案内縁１４と当たって摺擦されることによって、係止突起３４ひいては係止片３０が管径方向の外側へ変位される。これによって、係止片３０が被係止孔１１から抜け出て、第１接続管１０の外周面に乗り上げ、第２接続管２０の引き抜きが許容される。
【００２５】
図５（ｂ）に示すように、第２接続管２０を右まわりに回転させた場合、回転方向前方の係止突起３２の管径内側を向く側端縁３２ｆが、対向する案内縁１２と当たって摺擦されることによって、係止突起３２ひいては係止片３０が管径方向の外側へ変位される。これによって、係止片３０が被係止孔１１から抜け出て、第１接続管１０の外周面に乗り上げ、第２接続管２０の引き抜きが許容される。
【００２６】
このようにして、第２接続管２０を管周方向のどちら側へ回しても、係止片３０と被係止孔１１の係合を解除することができる。したがって、分離操作の自由度を高めることができる。係止突起３２，３４どうしは対称形状であるから、係止片３０を被係止孔１１から外すときの所要力や、外れるまでの所要回転量が、第２接続管２０をどちら側へ回しても同程度になるようにできる。
続いて、第２接続管２０を引き抜き方向へ移動させることによって、第２接続管２０を第１接続管１０から引き抜いて、フレキシブルダクト４を分岐チャンバー３から分離することができる。
【００２７】
本考案は、前記実施形態に限定されるものではなく、その趣旨を逸脱しない範囲において種々の改変をなすことができる。
例えば、係止片３０が、第２接続管２０とは別体の部材によって構成され、第２接続管２０に溶接等によって接合されていてもよい。
一対の係止突起３２，３４どうしが互いに非対称の形状であってもよい。
被係止部は、孔１１に限らず、第１接続管１０の外周側から見て凹んだ凹み状であってもよい。
第１空調路部材は、分岐チャンバーに限らず、エアコン本体でもよく、フレキシブルダクト４とは別のダクトであってもよく、吹き出し口でもよく、換気ガラリであってもよい。
第２空調路部材は、フレキシブルダクト４に限らず、硬質ダクトでもよく、チャンバー等でもよい。
【産業上の利用可能性】
【００２８】
本考案は、例えばオフィスビルの空調設備に適用できる。
【符号の説明】
【００２９】
１      空調路接続構造
３      分岐チャンバー（第１空調路部材）
４      フレキシブルダクト（第２空調路部材）
４ｅ    端部
１０    第１接続管
１１    被係止孔（被係止部）
１２    案内縁
１３    係止縁
１４    案内縁
１７    気密シール材
１８    断熱カバー材
２０    第２接続管
２１    管壁
２２    打ち抜き孔
２８    断熱カバー材
３０    係止片
３１    係止片における挿し込み側の端部
３２    係止突起
３２ａ  外面
３２ｅ  先端縁
３２ｆ  側端縁
３３    引き抜き側の端部
３３ｂ，３３ｄ  折り曲げエッジ
３４    係止突起
３４ａ  外面
３４ｅ  先端縁
３４ｆ  側端縁
Ｌ３０   中心
【図１】
0003233664.tif 000003
【図２】
0003233664.tif 000004
【図３】
0003233664.tif 000005
【図４（ａ）】
0003233664.tif 000006
【図４（ｂ）】
0003233664.tif 000007
【図５（ａ）】
0003233664.tif 000008
【図５（ｂ）】
0003233664.tif 000009